(57)【要約】【課題】読取速度を低下させることなく、モノクロ読取時の原稿画像の色の再現性を向上させる画像読取装置を提供する。【解決手段】モノクロで原稿の読取を行う場合、読取部により読み取られた原稿の画像データを、反射光に含まれる複数色の光のうちの特定の光に対応する特定色を強調した画像データとする。また、強調される特定色に対応する特定の光を選択する。【選択図】図８
2017123544.tif 000002
【特許請求の範囲】
【請求項１】
光を照射し、原稿からの反射光を受光することにより前記原稿を光学的に読み取る読取手段と、
前記読取手段によりモノクロで前記原稿の読取を行う場合、前記読取手段により読み取られた前記原稿の画像データを、前記反射光に含まれる複数色の光のうちの特定の光に対応する特定色を強調した画像データとする強調手段と、
前記強調手段により強調される前記特定色に対応する前記特定の光を選択する選択手段と、
を備えることを特徴とする画像読取装置。
【請求項２】
前記読取手段は、複数色の光源を備え、
前記強調手段は、前記複数色の光源のうち、前記特定色に対応する光の光源を点灯させて、前記読取手段により読み取られた前記原稿の画像データを、前記特定色を強調した画像データとする、
ことを特徴とする請求項１に記載の画像読取装置。
【請求項３】
前記強調手段は、前記読取手段により読み取られた前記原稿の画像データにおいて、前記読取手段の走査ラインと交差する副走査方向上の各画素データで所定の条件を満たす画素データを補正する補正手段、をさらに備えることを特徴とする請求項２に記載の画像読取装置。
【請求項４】
前記補正手段は、前記所定の条件として、補正対象の画素の輝度値が、前記副走査方向上の一走査ライン前の画素の輝度値および一走査ライン後の画素の輝度値より予め定められた輝度値分大きい場合に、前記補正対象の画素の輝度値をより小さくするように補正する、ことを特徴とする請求項３に記載の画像読取装置。
【請求項５】
前記補正手段は、前記補正対象の画素の輝度値を、前記副走査方向上の一走査ライン前の画素の輝度値と一走査ライン後の画素の輝度値との平均値に補正する、ことを特徴とする請求項３又は４に記載の画像読取装置。
【請求項６】
前記複数色の光源は、前記特定色に対して反射率が異なる第１の光源と第２の光源とを含む、ことを特徴とする請求項２乃至５のいずれか１項に記載の画像読取装置。
【請求項７】
前記特定色が赤である場合、前記複数色の光源は、赤の光源と青の光源を含む、ことを特徴とする請求項６に記載の画像読取装置。
【請求項８】
モノクロでの読取指示を受け付け、当該読取指示が前記特定色を強調する読取の指示である場合、前記読取手段の走査ラインごとに、前記複数色の光源の点灯を順次切り替えるように前記読取手段を制御する制御手段、をさらに備えることを特徴とする請求項２乃至７のいずれか１項に記載の画像読取装置。
【請求項９】
モノクロでの読取指示を受け付け、当該読取指示が前記特定色を強調する読取の指示でない場合、前記制御手段は、前記読取手段の走査ラインごとに、前記複数色の光源の点灯を繰り返すように前記読取手段を制御する、
ことを特徴とする請求項８に記載の画像読取装置。
【請求項１０】
カラーでの読取指示を受け付けた場合、前記制御手段は、前記強調手段による前記特定色の強調を実行させず、前記複数色の光源の点灯を順次切り替えて前記読取手段の一走査ラインを読み取るように前記複数色の光源の点灯を制御する、ことを特徴とする請求項８又は９に記載の画像読取装置。
【請求項１１】
光を照射し、原稿からの反射光を受光することにより前記原稿を光学的に読み取る読取手段を備える画像読取装置において実行される制御方法であって、
前記読取手段によりモノクロで前記原稿の読取を行う場合、前記読取手段により読み取られた前記原稿の画像データを、前記反射光に含まれる複数色の光のうちの特定の光に対応する特定色を強調した画像データとする強調工程と、
前記強調工程において強調される前記特定色に対応する前記特定の光を選択する選択工程と、
を有することを特徴とする制御方法。
【発明の詳細な説明】
【技術分野】
【０００１】
本発明は、原稿を光学的に読み取る画像読取装置および制御方法に関する。
【背景技術】
【０００２】
原稿画像を読み取る画像読取装置は、光源に発光ダイオード（ＬＥＤ）を用いて、カラー読取り、モノクロ読取りを実行する。カラー読取りを行う際、３原色である赤色、緑色及び青色のＬＥＤが順次点灯するが、順次に異なる光源を切り替えて読取りを行うことで時間がかかってしまう。
【０００３】
一方、モノクロ読取りを行う際、順次に光源を切り替えずに読取りを行うことができるので、カラー読取りを行う場合に比べて、時間の短縮を図ることができる。一般的なモノクロ読取方法として、視感度特性に近い緑色のＬＥＤだけのみを点灯して読み取る方法や、全てのＬＥＤを同時に点灯して読み取る方法が知られている（特許文献１）。
【先行技術文献】
【特許文献】
【０００４】
【特許文献１】特開２０１４−６０５６４号公報
【発明の概要】
【発明が解決しようとする課題】
【０００５】
上記のモノクロ読取りの場合、原稿の再現は、点灯するＬＥＤの波長に依存する。従って、読み取る対象の色によっては反射光として返ってくる光が強くなってしまい、モノクロで読み取った際に濃度が薄く再現されることがある。例えば、朱印が押されている原稿を３原色のＬＥＤ全てを同時点灯して読み取る場合、赤のＬＥＤに対する反射光が強まるため、黒の文字画像等を読み取っている場合と比べて取得される読取画像の濃度が薄く再現されてしまうことがある。
【０００６】
本発明の目的は、このような従来の問題点を解決することにある。上記の点に鑑み、本発明は、読取速度を低下させることなく、モノクロ読取時の原稿画像の色の再現性を向上させる画像読取装置および制御方法を提供することを目的とする。
【課題を解決するための手段】
【０００７】
上記課題を解決するため、本発明に係る画像読取装置は、光を照射し、原稿からの反射光を受光することにより前記原稿を光学的に読み取る読取手段と、前記読取手段によりモノクロで前記原稿の読取を行う場合、前記読取手段により読み取られた前記原稿の画像データを、前記反射光に含まれる複数色の光のうちの特定の光に対応する特定色を強調した画像データとする強調手段と、前記強調手段により強調される前記特定色に対応する前記特定の光を選択する選択手段と、を備えることを特徴とする。
【発明の効果】
【０００８】
本発明によれば、読取速度を低下させることなく、原稿画像の色の再現性を向上させることができる。
【図面の簡単な説明】
【０００９】
【図１】画像読取装置の構成を示す図である。
【図２】画像読取装置の制御系の構成を示すブロック図である。
【図３】読取モードの選択処理を示すフローチャートである。
【図４】各色ＬＥＤの点灯制御信号のタイミングチャートを示す図である。
【図５】特殊読取モード時の点灯制御信号のタイミングチャートを示す図である。
【図６】読取時に取得された画像データの輝度値を示す図である。
【図７】輝度補正を行うための画像データの配列を示す図である。
【図８】輝度補正処理を示すフローチャートである。
【図９】輝度補正処理前後の輝度値の変化を示す図である。
【図１０】輝度補正処理が行われない場合を説明するための図である。
【図１１】輝度補正処理が行われた画像データを示す図である。
【図１２】画像形成装置の構成を示す図である。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
図１は、本実施形態における、原稿１５の画像を光学的に読取る画像読取装置の構成を示す図である。画像読取装置１は、コンタクトイメージセンサ（ＣＩＳ）ユニットを使用して照明部１３１から光を原稿１５に照射し、原稿１５からの反射光を撮像部１３４で受光し、光電変換により電気信号を生成して、原稿１５を読み取った画像データを生成する。
【００１２】
図１に示すように、ＣＩＳユニット１３は、照明部１３１と光学レンズ１３３と撮像部１３４とを含んで構成され、原稿１５の載置側とは反対側に原稿台ガラス１４に密着するように構成される。照明部１３１は、光源として赤色ＬＥＤ、緑色ＬＥＤ及び青色ＬＥＤの３つの複数色のＬＥＤを備えた白色タイプの導光管を含み、原稿台ガラス１４に対して所定角度、傾斜した方向から原稿１５を照明する。
【００１３】
光学レンズ１３３は、照明部１３１から照射され原稿１５面で反射された光を、所定の結像位置へと導き、原稿１５からの反射光を等倍で読み取る。光学レンズ１３３として、例えば、セルフォック（登録商標）レンズが使用される。
【００１４】
撮像部１３４は、複数の光電変換素子等を含んで構成され、光学レンズ１３３により所定の結像位置へと導かれた光を撮像する。本実施形態では、撮像部１３４は、例えば、ＣＭＯＳセンサである。撮像部１３４で撮像された原稿１５の画像データは、メモリに格納される。このような構成のＣＩＳユニット１３は、駆動ベルト１６に装着され、モータ１８の駆動力が駆動ベルト１６を介して伝達されることにより、ガイドレール１７に沿って矢印Ｈ方向に移動する。
【００１５】
画像読取装置１は、ＣＩＳユニット１３をモータ１８の駆動力により矢印Ｈの方向（副走査方向）に移動させながら、ＣＩＳユニット１３を紙面とは交差する方向（主走査方向）に電気的に走査することにより原稿１５の画像を読み取る。一般的に、モータ１８には、ステッピングモータやＤＣモータ等が用いられる。また、画像読取時には、ＣＩＳユニット１３は、原稿台ガラス１４の端部に設けられた白色基準板１２に光を照射して、その反射光からシェーディング補正を行うための基準信号を得る。
【００１６】
以上の構成において、原稿台ガラス１４に載置された原稿１５の画像読取が行われる際には、白色基準板１２を用いたシェーディング補正が予め行われる。同時に、照明部１３１のＬＥＤ光源の光量調整が行われ、露光量が一定に保たれる。ＬＥＤ光源の光量は、ＰＷＭ制御により、主走査方向の１ライン毎の点灯する時間のデューティ比を変化させることにより、調整される。
【００１７】
図２は、画像読取装置１の制御系の構成を示すブロック図である。ＣＩＳユニット１３は、ＬＥＤ駆動回路（ドライバ）３において主走査方向の走査ライン毎に照明部１３１の光量調整で行った点灯時間に合わせて、原稿１５の画像を読み取る。ＬＥＤ駆動回路３は、照明部１３１を、ＰＷＭ制御により任意のデューティで点灯させることが可能である。
【００１８】
増幅器（ＡＭＰ）２１は、ＣＩＳユニット１３から出力された電気信号を増幅し、Ａ／Ｄ変換回路２２は、その増幅された電気信号をＡ／Ｄ変換して、例えば各画素を１６ビットの輝度値として表現するデジタル画像データを出力する。本実施形態では、Ａ／Ｄ変換回路２２を含め、Ａ／Ｄ変換のために必要な構成をまとめて変換部という。画像処理部６は、Ａ／Ｄ変換回路２２により変換されたデジタル画像データを画像処理する。この画像処理は、例えば、後述する特殊モード輝度補正処理を含む。メモリ６１は、画像処理部６に含まれ、画像データを記憶する。画像処理部６は、インクジェットプリンタや電子写真方式を用いたレーザビームプリンタ、さらには外部装置とのインタフェースと接続して、メモリ６１に記憶された画像データの画像転送を行うことができる。また、特殊モード輝度補正部６２は、モノクロ読取モードにおける原稿１５上の特定色を強調するための処理を行い、処理後の画像データをメモリ６１に格納する。また、特殊モード輝度補正部６２は、メモリ６１に記憶された処理前の画像データにもアクセス可能である。
【００１９】
タイミング発生回路４は、ＣＰＵ５の設定により、主走査方向の一走査ライン毎のＰＷＭデューティを変更することができ、ＬＥＤ駆動回路３に各色ＬＥＤの点灯ＯＮ／ＯＦＦの制御信号を送ることで、各色ＬＥＤの光量調整及び点灯タイミング制御を行う。なお、ＣＰＵ５は、ＣＰＵ５が実行するプログラムを記憶するＲＯＭ５２と、プログラム実行に作業領域として用いられるＲＡＭ５１とを含む。操作部７は、表示部と入力キー等の操作部を備え、ユーザインタフェースとしての機能を提供する操作パネルを有する。操作パネルは、機器の状態をユーザに通知したり、ユーザのキー操作による指示入力を受け付ける。操作部７の操作パネルは、例えば、画像読取（スキャン機能）の実行指示をユーザから受付けるためのメニュー画面を表示する。
【００２０】
図１に示す画像読取装置１は、例えば、記録媒体に画像を記録する記録装置１２０９（プリンタ）に接続される構成でも良い。その場合、例えば、図１に示す画像読取装置１が記録装置１２０９上に搭載される。
【００２１】
図１２は、画像読取装置１が記録装置１２０９と接続され、スキャン機能、印刷機能、コピー機能等が一体化された画像形成装置１２００として構成された場合の制御系のブロック構成を示す図である。そのような画像形成装置１２００は、図１の画像読取装置１、記録装置１２０９、画像読取装置１及び記録装置１２０９を統括的に制御するコントローラ部１２１０を含む。
【００２２】
コントローラ部１２１０は、ＣＰＵ１２０１、ＲＯＭ１２０２、ＲＡＭ１２０３、ＨＤＤ１２０４、操作部１２０５、外部インタフェース（Ｉ／Ｆ）１２０６、スキャナＩ／Ｆ１２０７、プリンタＩ／Ｆ１２０８を含む。ＣＰＵ１２０１は、例えば、ＲＯＭ１２０２に記憶されたプログラムをＲＡＭ１２０３に読み出して実行することにより、操作部１２０５上でユーザから受け付けた指示を実行する。例えば、操作部１２０５がユーザからコピー機能の実行指示を受け付けた場合、ＣＰＵ１２０１は、スキャナＩ／Ｆ１２０７を介して画像読取装置１に読取動作を指示する。そして、ＣＰＵ１２０１は、プリンタＩ／Ｆ１２０８を介して記録装置１２０９を介して記録装置１２０９に記録動作を指示する。画像読取装置１のＣＰＵ５は、コントローラ部１２１０のＣＰＵ１２０１から指示を受けると、画像読取装置１を統括的に制御して原稿の読取動作を実行する。
【００２３】
外部Ｉ／Ｆ１２０６は、ＬＡＮ等のネットワークを介して外部の装置と相互に通信可能であり、例えば、外部のホストコンピュータからスキャンジョブを受信する。操作部１２０５は、装置情報やジョブ処理状況等を示すディスプレイや、ユーザからの指示操作を受け付けるためのキー等を含む。
【００２４】
画像読取装置１は、図２のＣＰＵ５、ＲＡＭ５１、ＲＯＭ５２、画像処理部６、操作部７を含む。図１２の読取部１２１１は、図２のＣＩＳユニット１３を含む。図１２の変換部１２１３は、ＡＭＰ２１とＡ／Ｄ変換回路２２を含む。また、図１２のＬＥＤ制御部１２１２は、図２のＬＥＤ駆動回路３とタイミング発生回路４を含む。図１２のモータ制御部１２１４は、図２のモータドライブ回路９１を含む。図１２のモータ・センサ群１２１４は、図２のスキャナモータ１８や、原稿台ガラス１４上や搬送路上の原稿を検知するセンサや、ＣＩＳユニット１３が取り付けられたことを検知するセンサを含む。また、ＣＰＵ５は、コントローラ部１２１０のＣＰＵ１２０１と通信可能である。
【００２５】
記録装置１２０９は、インクジェット記録方式や電子写真方式等の各種記録方式に対応した構成を有し、記録媒体上に画像を記録する。記録装置１２０９は、例えば、外部Ｉ／Ｆ１２０６で外部から受信した画像データに基づいて記録動作を行う場合や、画像読取装置１の読取動作で取得された画像データに基づいて記録動作を行う場合がある。
【００２６】
図１２には不図示であるが、コントローラ部１２１０は、記録対象の画像データを記録装置１２０９で記録可能な記録データに変換するための画像処理部など、画像形成装置１２００の各機能を実行するために必要な処理構成を適宜含む。
【００２７】
次に、画像読取装置の読取モードの選択とそれぞれの読取モードにおける各色ＬＥＤの点灯方法について図３〜５を参照しながら説明する。
【００２８】
図３は、ユーザによる読取モードの選択処理を示すフローチャートである。図３に示す各処理は、例えば、ＣＰＵ５がＲＯＭ５２に記憶されたプログラムをＲＡＭ５１に読み出して実行することにより実現される。
【００２９】
操作部７に表示されたメニュー画面等を介してユーザから画像読取（スキャン機能）の実行（読取指示）を受け付けると、Ｓ１０１では、ユーザが指示した画像読取モードはモノクロ読取モードであるか否かを判定する。ここで、モノクロ読取モードであると判定された場合、処理はＳ１０２に進む。一方、モノクロ読取モードでないと判定された場合、処理はＳ１０５に進む。Ｓ１０５では、ＣＰＵ５は、カラー読取モードによる画像読取を実行する。Ｓ１０５の後、図３の処理は終了する。
【００３０】
次に、Ｓ１０２では、ＣＰＵ５は、ユーザが指示したモノクロ読取モードは色強調モードであるか否かを判定する。ここで、色強調モードであると判定された場合、処理はＳ１０３に進む。Ｓ１０３では、ＣＰＵ５は、特殊モノクロ読取モードにより画像読取を実行する。Ｓ１０３の後、図３の処理は終了する。一方、色強調モードでないと判定された場合、処理はＳ１０４に進む。Ｓ１０４では、ＣＰＵ５は、通常モノクロ読取モードによる画像読取を実行する。Ｓ１０４の後、図３の処理は終了する。
【００３１】
図４は、通常モノクロ読取モード及びカラー読取モードにおける各色ＬＥＤの点灯制御信号のタイミングチャートを示す図である。
【００３２】
図４（ａ）は、通常モノクロ読取モードにおける各色ＬＥＤの点灯制御を示し、図４（ｂ）は、カラー読取モードにおける各色ＬＥＤの点灯制御を示している。
【００３３】
通常モノクロ読取モードにおける各色ＬＥＤの点灯制御では、青色（Ｂ）ＬＥＤ１３１１、緑色（Ｇ）ＬＥＤ１３１２、赤色（Ｒ）ＬＥＤ１３１３それぞれが、一走査ラインの区間で同時に点灯するように制御される。図４（ａ）に示すように、副走査方向上のデータ切り替わりを示す同期信号ＳＰに同期して、これらのＬＥＤに対応する点灯制御信号ＬＥＤ＿Ｂ、ＬＥＤ＿Ｇ、ＬＥＤ＿Ｒがハイレベルになって、３色のＬＥＤが同時点灯する。図４（ａ）の場合、同期信号ＳＰの１回の立ち上がりで、読取対象の走査ラインが切り替わる。
【００３４】
また、カラー読取モードにおける各色ＬＥＤの点灯制御では、図４（ｂ）に示すように同期信号ＳＰに同期して、点灯制御信号ＬＥＤ＿Ｂ、ＬＥＤ＿Ｇ、ＬＥＤ＿Ｒが順次切り替わる。その結果、青色ＬＥＤ１３１１、緑色ＬＥＤ１３１２、赤色ＬＥＤ１３１３が順次点灯する。図４（ｂ）の場合、同期信号ＳＰの３回の立ち上がりで、読取対象の走査ラインが切り替わる。これにより、画像データは３色のＲＧＢデータとして取得され、カラー読取りが実現される。しかしながら、図４（ａ）及び（ｂ）から分かるように、カラー読取モードは、通常モノクロ読取モードと比べて３倍の時間がかかる。
【００３５】
通常モノクロ読取モード及びカラー読取モードに対し、特殊モノクロ読取モードでは、各色ＬＥＤが一走査ラインごとに異なる点灯タイミングとなるように制御される。
【００３６】
図５は、特殊読取モード時の各色ＬＥＤの点灯制御信号のタイミングチャートを示す図である。図５に示すように、特殊モノクロ読取モードでは、原稿上の強調させたい色に応じて点灯させるＬＥＤを一走査ラインごとに交互に切り替える点灯制御が行われる。本実施形態では、原稿１５の印刷に良く使われる赤と青に対する強調を行うために、青色ＬＥＤ１３１１のみの点灯と赤色ＬＥＤ１３１３のみの点灯のパターンを交互に切り替えるように制御する。そして、図４（ａ）の通常モノクロ読取モードと同様に、同期信号ＳＰの１回の立ち上がりに同期して読取対象の走査ラインが切り替わるように制御される。そのため、通常モノクロ読取モードと同じ読取速度で読取ることができる。
【００３７】
図６は、通常モノクロ読取モード及び特殊モノクロ読取モードで読取った画像データの輝度値を示す図である。縦軸は、１画素ごとの輝度値を示し、横軸は、副走査方向上の位置を示している。
【００３８】
通常モノクロ読取モードでは、図４（ａ）に示すように、青色ＬＥＤ１３１１、緑色ＬＥＤ１３１２、赤色ＬＥＤ１３１３それぞれが、一走査ラインの区間で同時に点灯するように制御される。図６（ａ）に示すように、原稿１５の白部分を読取った場合には、それぞれ青色ＬＥＤ１３１１、緑色ＬＥＤ１３１２、赤色ＬＥＤ１３１３から照射される光の反射率は高いので、輝度レベルは高くなる。一方、原稿１５の黒部分を読み取った場合、それぞれのＬＥＤからの光に対し反射率が低いので、輝度レベルは低くなる。
【００３９】
原稿１５の赤部分については、青色ＬＥＤ１３１１から照射される光に対しての反射率は小さくなる。また、赤の波長に近い光ほど反射率が大きくなるので、青色ＬＥＤ１３１１から照射される光に対し、緑色ＬＥＤ１３１２、赤色ＬＥＤ１３１１の順に照射される光の反射率は大きくなる。そのため原稿１５の黒部分を読取った時よりも原稿１５の赤部分の輝度値は大きくなる。
【００４０】
また、原稿１５の青部分については赤色ＬＥＤ１３１３から照射される光に対しての反射率は小さくなる。また、青の波長に近い光ほど反射率が大きくなるので、赤色ＬＥＤ１３１３の照射される光に対し、緑色ＬＥＤ１３１２、青色ＬＥＤ１３１１の順に照射される光の反射率は大きくなる。そのため原稿１５の赤部分と同様に、原稿１５の黒部分を読取った時よりも、原稿１５の青部分の輝度値は大きくなる。
【００４１】
このように、通常モノクロ読取モードでは、原稿１５の黒部分に対し、赤部分や青部分は輝度値が高いので、結果としてユーザには薄く見える。赤、緑、青の３色のＬＥＤの光に対して反応が良いため写真等の画像を読取る際に適している。
【００４２】
特殊モノクロ読取モードでは、青色ＬＥＤ１３１１のみの点灯と赤色ＬＥＤ１３１３のみの点灯のパターンを交互に切り替えるように制御が行われる。そのため、副走査方向の１画素おきに読取る際に照射しているＬＥＤは異なる。図６（ｂ）に示すように、原稿１５の白部分を読取った場合、青色ＬＥＤ１３１１から照射される場合も赤色ＬＥＤ１３１３から照射される場合も反射率が変わらないので、１画素おきの輝度値の差は極めて小さい。同様に、原稿１５の黒部分を読み取った場合も、青色ＬＥＤ１３１１から照射される場合も赤色ＬＥＤ１３１３から照射される場合も反射率が変わらないので、１画素おきの輝度値の差は極めて小さい。このように、光の反射率が大きく変わらない黒やグレー、白については１画素おきの輝度値の差は極めて小さく、通常モノクロ読取モードと同等の読取りが可能である。
【００４３】
一方、原稿１５の赤部分や青部分に対して読取を行う場合、青色ＬＥＤ１３１１から照射される場合と赤色ＬＥＤ１３１３から照射される場合とで反射率は異なるので、１画素おきに輝度値は大きく異なる。従って、特殊モノクロ読取モードでは、通常モノクロ読取モードとは異なる輝度値を表す画像データとなる。
【００４４】
次に、特殊モノクロ読取モードでの輝度補正の処理について図７、８を参照しながら説明する。
【００４５】
図７は、本実施形態における特殊モノクロ読取モード時の輝度補正（強調補正）を行うためのデータ配列を示す図である。図７に示すように、輝度補正は、読み込まれた走査ライン単位の画素データごとに行われる。そして、補正対象の走査ライン（補正対象ライン）と補正対象ラインの一走査ライン前に読み込まれた一走査ラインとの間での画素データの比較、補正対象ラインと補正対象ラインの一走査ライン後に読み込まれた一走査ラインとの間での画素データの比較を行う。画素データの比較は、同じ主走査位置の画素それぞれで、前後の一走査ラインとの間で行われ、その結果に応じて輝度補正を行うか否かを決定する。本実施形態では、撮影部１３４から出力される一走査ライン分の画素データは、主走査位置０〜Ｍに対応する。輝度補正された画素データは、一走査ラインずつ特殊モード輝度補正部６２から出力されてメモリ６１に格納される。また、上記の比較においては、前後の一走査ラインの画素データとして、輝度補正が行われる前の画素データが用いられる。
【００４６】
図８は、本実施形態における特殊モノクロ読取モード時の輝度補正処理を示すフローチャートである。図８に示す各処理は、例えば、ＣＰＵ５がＲＯＭ５２に記憶されたプログラムをＲＡＭ５１に読み出して実行することにより実現される。
【００４７】
Ｓ２０１では、ＣＰＵ５は、ＲＡＭ５１に確保された主走査位置を示す変数Ｎに、撮影部１３４から出力される一走査ラインの画素データの最初の画素位置を示す０を代入し、Ｓ２０２に進む。
【００４８】
Ｓ２０２では、ＣＰＵ５は、補正対象ラインの主走査位置Ｎの画素において輝度値ＬＮ１が副走査方向上の１画素前（一走査ライン前）の画素の輝度値ＬＮ０よりも閾値以上であるか否かを判定する。ここでの閾値は、例えば１０である。ここで、輝度値ＬＮ１が輝度値ＬＮ０よりも閾値以上であると判定された場合、処理はＳ２０３に進む。一方、輝度値ＬＮ１が輝度値ＬＮ０よりも閾値以上でない、即ち閾値未満であると判定された場合、処理はＳ２０５に進む。
【００４９】
次に、Ｓ２０３では、ＣＰＵ５は、輝度値ＬＮ１が副走査方向上の１画素後（一走査ライン後）の画素の輝度値ＬＮ１よりも閾値以上であるか否かを判定する。ここでの閾値は、例えば１０である。輝度値ＬＮ１が輝度値ＬＮ２よりも閾値以上であると判定された場合、処理はＳ２０４に進む。一方、輝度値ＬＮ１が輝度値ＬＮ２よりも閾値以上でない、即ち閾値未満であると判定された場合、処理はＳ２０５に進む。Ｓ２０３とＳ２０４の判断結果から、補正対象ラインの画素の輝度値が、副走査方向上の一走査ライン前後の両方の画素の輝度値より閾値以上の場合においてのみ、Ｓ２０４で輝度補正が行われる。
【００５０】
Ｓ２０４では、ＣＰＵ５は、輝度補正を行う。ＣＰＵ５は、特殊モード輝度補正部６２から出力される一走査ラインの画素データの主走査位置Ｎ画素目の輝度値ＬＯＵＴＮに補正値を代入する。ＬＯＵＴＮは、ＲＡＭ５１に確保されている。ＣＰＵ５は、輝度値ＬＮ０と輝度値ＬＮ２を足した値を２で割った平均値を、補正値として輝度値ＬＯＵＴＮに代入する。輝度値ＬＯＵＴＮは、輝度値ＬＮ０と輝度値ＬＮ２の中間値となるため補正前よりも輝度値の低いデータとなり、且つ、副走査方向上に変化が小さくなるような画素データとなる。一方、Ｓ２０５では、ＣＰＵ５は、主走査位置Ｎ画素目の輝度補正を行わない。Ｓ２０５では、ＣＰＵ５は、輝度値ＬＯＵＴＮに対して、補正前の輝度値ＬＮ１をそのまま代入する。
【００５１】
次に、Ｓ２０６では、補正対象ラインの画素の主走査位置Ｎが撮影部１３４から出力される一走査ラインの画素データの最後の画素位置を示すＭと等しいか否かを判定する。ここで、主走査位置ＮがＭに等しいと判定された場合、図８の処理は終了する。一方、主走査位置ＮがＭに等しくないと判定された場合、処理はＳ２０７に進む。Ｓ２０７では、ＣＰＵ５は、主走査位置Ｎを１インクメントし、その値をＮに代入する。Ｓ２０７の後、Ｓ２０２からの処理を繰り返す。
【００５２】
次に、図９〜１１を参照しながら、図８のフローチャートの特殊モノクロ読取モード時の輝度補正の動作について説明する。
【００５３】
図９は、本実施形態における特殊モノクロ読取モード時の輝度補正前後の輝度データを示す図である。また、図１０は、本実施形態における特殊モノクロ読取モード時で補正しないと判定された輝度データを示す図である。
【００５４】
図９（ａ）に示すように、補正対象ラインの画素の輝度値ＬＮ１が副走査方向上の１画素前後の両方の画素の輝度値より閾値以上の場合に、輝度補正が行われる。図９（ｂ）は、輝度補正後の画素データを示しており、図９（ａ）に示す輝度補正前の画素データよりも、輝度値ＬＮ１は低く補正されている。また、図１０に示すように、補正対象ラインの画素の輝度値ＬＮ１が副走査方向上の１画素前後の両方の画素の輝度値より閾値以上ではない場合には、輝度補正は行われない。
【００５５】
本実施形態では、一走査ライン前後の両方の画素と比べて、１０以上の輝度値分大きいという条件の場合に、輝度補正が行われる。しかしながら、閾値は１０でなく他の値が用いられても良い。また、操作部７上でユーザにより設定される強調の程度に応じて、閾値を変更可能としても良い。また、ユーザによる指示に基づいて強調色を設定するだけでなく、読み取った画像データから反射光量が高い色を強調色として自動で判断する構成としてもよい。
【００５６】
図１１は、本実施形態において特殊モノクロ読取モード時の輝度補正後の画素データを示す図である。図６（ｂ）に示すように、特殊モノクロ読取モード時では、赤や青のデータにおいて１画素おきに高い輝度と低い輝度が切り替わる。そのため、図９（ａ）に示すような輝度値の関係となるので、赤と青の部分には、輝度値が低くなるように輝度補正が実行される。一方、白や黒のデータにおいては１画素おきに高い輝度と低い輝度の切り替わりとならないので、輝度補正が実行されない。その結果、図１１に示すような画素データに補正されることになり、赤と青に近い色合いのデータのみ濃くなるような強調が実現される。
【００５７】
また、本実施形態においては、点灯する光源の色によって特定色を強調する構成としたが、原稿からの反射光を受光する受光センサによって特定色を強調する構成としてもよい。
【００５８】
以上のように、本実施形態によれば、モノクロ読取りにおいて、読取速度の低下による生産性の低下を招くことなく、原稿上の特定色に対して濃く強調して読取る処理が可能となる。
【符号の説明】
【００５９】
１  画像読取装置：  １３  ＣＩＳユニット：  ５  ＣＰＵ：  ６  画像処理部：  ７  操作部：  ５１  ＲＡＭ：  ５２  ＲＯＭ：  １３１１、１３１２、１３１３  ＬＥＤ
【図１】
2017123544.tif 000003
【図２】
2017123544.tif 000004
【図３】
2017123544.tif 000005
【図４】
2017123544.tif 000006
【図５】
2017123544.tif 000007
【図６】
2017123544.tif 000008
【図７】
2017123544.tif 000009
【図８】
2017123544.tif 000010
【図９】
2017123544.tif 000011
【図１０】
2017123544.tif 000012
【図１１】
2017123544.tif 000013
【図１２】
2017123544.tif 000014